(57)【特許請求の範囲】
【請求項１】
紫外線を照射する照射装置と、
内部が中空とされ、前記照射装置を収容する筐体と、
前記筐体の内部に形成され、紫外線を反射する反射部と、
前記筐体内部の空気を搬送する送風装置と、を有し、
前記反射部の表面には起伏が形成されており、
前記反射部は、ディンプル加工により表面に窪みが形成された反射体を前記筐体の内壁面に取り付けることにより形成されている、請求項１に記載の除菌装置。
【請求項２】
前記筐体には、
前記筐体の内部空間へ空気を取り込む吸気口と、
前記内部空間から外部へ空気を排出する排気口と、が設けられており、
全ての前記吸気口の開口面積を加算した面積を吸気開口総面積とし、全ての前記排気口の開口面積を加算した面積を排気開口総面積とした場合、
前記吸気開口総面積が前記排気開口総面積よりも大きい、請求項１に記載の除菌装置。
【請求項３】
前記筐体が、前記照射装置から照射される紫外線を外部から遮蔽する遮蔽体を構成している、請求項１又は２に記載の除菌装置。
【請求項４】
前記筐体を自立させた状態の上下方向における上方側を高さ方向とした場合、
前記筐体が、前記高さ方向に延びる長尺形状とされており、
前記筐体の前記上下方向における上方側には、前記筐体の内部へ空気を取り込む吸気口が設けられている、請求項１〜３のいずれかに記載の除菌装置。
【請求項５】
前記送風装置が、前記筐体を自立させた状態の上下方向における下方側に設けられている、請求項１〜４のいずれかに記載の除菌装置。
【請求項６】
紫外線を遮蔽するための遮蔽部を備え、
前記遮蔽部は、
前記筐体の内部であって、前記筐体の外部に連通する開口が設けられた位置と、前記照射装置との間に設けられている、請求項１〜５のいずれかに記載の除菌装置。
【発明の詳細な説明】
【技術分野】
【０００１】
本発明は、室内のウイルスや菌を除菌するための除菌装置に関する。
【背景技術】
【０００２】
従来、室内のウイルスや菌、あるいは花粉などを除去して空気を清浄化するための除菌装置が提供されている。例えば、下記特許文献１には、室内の塵埃を除去する空気清浄機が開示されている。
【先行技術文献】
【特許文献】
【０００３】
【特許文献１】特開２０１９−１２０４３６号公報
【発明の概要】
【発明が解決しようとする課題】
【０００４】
ここで、従来の空気清浄機などの除菌装置では、フィルターに花粉や塵埃を付着させて清浄化された空気を室内に循環させるものが多く提供されている。また、このような除菌装置では、フィルターに空気を通過させるために風量が大きくなり、その結果として送風装置の騒音が大きくなるといった問題がある。しかしながら、昨今では会議室や待合室など静粛性が求められる場所でのニーズが高まりつつある。
【０００５】
そこで本発明は、室内の空気を除菌するものであって、静粛性の高い除菌装置の提供を目的とした。
【課題を解決するための手段】
【０００６】
（１）上述の課題を解決すべく提供される本発明の除菌装置は、紫外線を照射する照射装置と、内部が中空とされ、前記照射装置を収容する筐体と、前記筐体の内部に形成され、紫外線を反射する反射部と、前記筐体内部の空気を搬送する送風装置と、を有し、前記反射部の表面には起伏が形成されているものである。
【０００７】
本発明の除菌装置によれば、反射体の表面の起伏により、筐体の内部で紫外線を乱反射させるとともに空気の流れを撹拌することができる。これにより本発明の除菌装置は、紫外線によるウイルスや菌の不活化など除菌効率を向上させることができる。その結果、本発明の除菌装置は、送風装置の風量が大きくなることを抑制しつつ高い除菌効果を発揮して、送風装置による騒音を低減することで、静粛性を高めることができる。
【０００８】
（２）本発明の除菌装置は、前記反射部は、ディンプル加工により表面に窪みが形成された反射体を前記筐体の内壁面に取り付けることにより形成されているものであるとよい。
【０００９】
上述の構成によれば、安価に反射部を形成することができる。また、上述の構成によれば、略半円球状の窪みであるディンプルの形状により、ディンプルがレンズのような機能を発揮して集光効果により紫外線をより効率的に増幅させることができる。また、ディンプルの形状により、紫外線を単純な反射ではなく乱反射させることで、反射度が稼げる。そのため、より多くの除菌効果を得ることができ、装置のコンパクト化に貢献することができる。
【００１０】
（３）本発明の除菌装置は、前記筐体には、前記筐体の内部空間へ空気を取り込む吸気口と、前記内部空間から外部へ空気を排出する排気口と、が設けられており、全ての前記吸気口の開口面積を加算した面積を吸気開口総面積とし、全ての前記排気口の開口面積を加算した面積を排気開口総面積とした場合、前記吸気開口総面積が前記排気開口総面積よりも大きいものであるとよい。例えば、吸気口を斜めに切る（斜めのスリットにする）などして吸気口の総開口面積を大きく取れば、空気を吸い込みやすくなり、騒音低減効果を得ることができる。
【００１１】
上述の構成によれば、風の流速を低下させて、より高い空気口の騒音低減効果を得ることができる。
【００１２】
ここで、紫外線の波長によっては人体に何らかの影響を及ぼす可能性があり、除菌装置の照射装置から照射される紫外線は外部に漏れないような構造とされることが望ましい。
【００１３】
（４）上述の課題に対応するため本発明の除菌装置は、前記筐体が、前記照射装置から照射される紫外線を外部から遮蔽する遮蔽体を構成しているものであるとよい。
【００１４】
上述の構成によれば、紫外線が筐体の外部に漏れることを抑制し、紫外線が人に及ぼす影響を抑制することができる。
【００１５】
（５）本発明の除菌装置は、前記筐体を自立させた状態の上下方向における上方側を高さ方向とした場合、前記筐体が、前記高さ方向に延びる長尺形状とされており、前記筐体の前記上下方向における上方側には、前記筐体の内部へ空気を取り込む吸気口が設けられているものであるとよい。
【００１６】
上述の構成によれば、室内に浮遊するウイルスや菌を効率的に筐体の内部に案内することができる。その結果、室内の除菌効果を高めることができる。
【００１７】
（６）本発明の除菌装置は、前記送風装置が、前記筐体を自立させた状態の上下方向における下方側に設けられているものであるとよい。
【００１８】
上述の構成によれば、除菌装置の重心が下方側として、安定して除菌装置を自立させることができる。
【００１９】
（７）本発明の除菌装置は、紫外線を遮蔽するための遮蔽部を備え、前記遮蔽部は、前記筐体の内部であって、前記筐体の外部に連通する開口が設けられた位置と、前記照射装置との間に設けられているものであるとよい。
【００２０】
上述の構成によれな、筐体に外部と連通する開口を設けつつ、紫外線が外部に漏れ出ることを抑制することができる。すなわち、本発明の除菌装置は、空気の通り道の確保という課題と、紫外線の遮蔽という課題との、二律背反する二つの課題を同時に解決している。さらに付言すると、除菌装置では、起伏を備える反射部により紫外線を乱反射させつつ紫外線が漏れ出ないようにするという課題をも解決することができる。
【発明の効果】
【００２１】
本発明によれば、室内の空気を除菌するものであって、静粛性の高い除菌装置を提供することができる。
【図面の簡単な説明】
【００２２】
【図１】本発明の実施形態に係る除菌装置の斜視図である。
【図２】図１の除菌装置の内部を示す断面図である。
【図３】図１の除菌装置の反射部を示す断面図である。
【図４】図１の除菌装置の遮蔽部材の配置を示す断面図である。
【図５】図１の除菌装置の遮蔽部材の配置を示す平面図である。（ａ）は吸気口側の遮蔽部材の平面視、（ｂ）は吸気口側の遮蔽部材の底面視、（ｃ）は排気口側の遮蔽部材の平面視、（ｄ）は排気口側の遮蔽部材の底面視を示している。
【図６】図１の除菌装置の遮蔽部材を示す図である。
【図７】図１の除菌装置の遮蔽部材を示す分解斜視図である。
【図８】図１の除菌装置を作動させた場合を示す模式図である。
【発明を実施するための形態】
【００２３】
以下、本発明の実施形態に係る除菌装置１０について、図面を参照しつつ説明する。
【００２４】
除菌装置１０は、空気中の菌やウイルスを不活化させ、室内の空気の除菌を行うためのものである。より具体的には、除菌装置１０は、内部に室内の空気を取り込み、除菌された空気を室内に排出して、室内の空気を循環させつつ除菌するものである。なお、本明細書中の「除菌」とは、菌の除去や不活化を含むほか、ウイルスの不活化も含むものとする。
【００２５】
図１に示すとおり、除菌装置１０は、全体として略円柱状の外観を備えている。図１に示すとおり、除菌装置１０は床置き型で自立した状態で使用される自立式とされている。図２に示すとおり、除菌装置１０は、自立させた状態において長さＬ１（概ね１１８０ｍｍ）の高さを備えている。すなわち、除菌装置１０は、接地面からある程度の高さを備えるものとされている。より具体的に説明すると、除菌装置１０は、人が椅子に座った時に、概ね人の口が位置する高さ（顔が位置する高さ）となっている。また、除菌装置１０では、後述するとおり除菌装置１０の上方Ｕｐに吸気口２４が設けられている。これにより、人が吸い込む高さにある空気を積極的に取り込んで除菌することができる。
【００２６】
なお、以下の説明では、除菌装置１０を自立させた状態における上下方向を、単に「上下方向Ｈ」と記載して説明する場合がある。また、上下方向Ｈにおける上方を単に「上方Ｕｐ」と、下方を単に「下方Ｌｗ」と記載して説明する場合がある。
【００２７】
図２に示すとおり、除菌装置１０は、筐体２０、遮蔽部材２７（遮蔽部）、紫外線ランプ３０（照射装置）、反射部３２、及びファンユニット４０（送風装置）を備えている。また、除菌装置１０には、紫外線ランプ３０を筐体２０の内部空間Ｒにおいて保持するための保持部材５０、ファンユニット４０の駆動源となるモータ５２、除菌装置１０の作動のＯＮとＯＦＦとを切り替えるためのスイッチ５４（図１参照）、筐体２０を自立させるための接地部５６、転倒感知用スイッチ５８、グロー点火ソケット６０、紫外線ランプ用安定器６２などが設けられている。
【００２８】
図１に示すとおり、筐体２０は略円柱状の外観を備えている。筐体２０は、中空の筒状体２１ａに対して蓋体２１ｂが取り付けられている。また、図１及び図２に示すとおり、筒状体２１ａの両端のうち、上方Ｕｐ側が蓋体２１ｂにより閉塞され、下方Ｌｗ側が接地部５６により閉塞されている。これにより、筐体２０の内部には、外部から遮蔽された内部空間Ｒが形成されている。また、除菌装置１０では、筐体２０の内壁面２０ａに反射部３２が形成されている。除菌装置１０は、紫外線ランプ３０を取り囲むように反射部３２を筒状に形成することで、紫外線ランプ３０から照射される紫外線を効率的に反射させることができる。
【００２９】
図２に示すとおり、筐体２０の内部空間Ｒには、遮蔽部材２７（遮蔽部）、紫外線ランプ３０、ファンユニット４０、モータ５２等が収容されている。すなわち、筐体２０は、紫外線ランプ３０等を収容する収容体を構成するとともに、紫外線ランプ３０を外部から遮蔽する遮蔽体を構成している。
【００３０】
図１及び図２に示すとおり、筐体２０には、内部空間Ｒと外部とを連通させる複数の貫通孔２２が形成されている。貫通孔２２のうち、筐体２０の上方Ｕｐ側に形成された貫通孔２２は、外部から内部空間Ｒに空気を取り込む吸気口２４とされている。また、貫通孔２２のうち、筐体２０の下方Ｌｗ側に形成された貫通孔２２は、内部空間Ｒから外部へと空気を送り出す排気口２６とされている。
【００３１】
図１及び図２に示すとおり、吸気口２４及び排気口２６は、概ね長孔状の開口形状とされており、筐体２０の周面に形成されている。より詳細に説明すると、吸気口２４は、筐体２０の蓋体２１ｂの周面に対して形成されている。すなわち、吸気口２４は、除菌装置１０の上方Ｕｐ側に形成されている。また、排気口２６は、筐体２０の長手方向（上下方向Ｈ）においてファンユニット４０が収容されている部分（ファンユニット収容領域）よりも下方Ｌｗ側に形成されている。すなわち、排気口２６は、除菌装置１０の下方Ｌｗ側に形成されている。
【００３２】
このように、除菌装置１０では、上方Ｕｐ側から空気を取り込み、下方Ｌｗ側から空気を排出する構造とされている。ここで、飛沫にウイルスなどが含まれている場合、床に落下した飛沫は床に付着して舞い上がることが少ない。そのため、室内の飛沫に含まれるウイルスなどを除菌しようとする場合、空気中を浮遊する飛沫を効率的に取り込んで除菌することが望ましい。すなわち、空気中のウイルスなどを効率的に取り込むという観点では、空気の取り込み口（吸気口）は、低い位置に設けられるよりも高い位置に設けられるほうが有利となる。本実施形態の除菌装置１０では、吸気口２４が筐体２０の上方Ｕｐ側に設けられているため（高い位置に設けられているため）、飛沫が浮遊する空気を効率的に取り込むことができる。
【００３３】
ここで、本実施形態の除菌装置１０では、排気口２６の数よりも吸気口２４の数のほうが多く形成されている。別の観点で説明すると、全ての吸気口２４の開口面積を吸気開口総面積Ａ１とし、全ての排気口２６の開口面積を排気開口総面積Ａ２とすると、排気開口総面積Ａ２よりも吸気開口総面積Ａ１のほうが大きい（吸気開口総面積Ａ１＞排気開口総面積Ａ２）。
【００３４】
これにより、本実施形態の除菌装置１０では、吸気口２４から取り込まれる空気の流れの流速を低下させ、より効率的に騒音を低減することができる。
【００３５】
反射部３２は、紫外線ランプ３０から照射された光（紫外線）を乱反射させて増幅するために設けられている。反射部３２は、筐体２０の内壁面２０ａに鏡面シート３４が貼付されることにより形成されている。鏡面シート３４（反射体）は、筐体２０の内壁面２０ａの略全域に貼付されている。そのため、反射部３２は筐体２０の内壁面２０ａの略全域に形成されており、紫外線ランプ３０を取り囲むように形成されている。
【００３６】
鏡面シート３４（反射体）は、表面に複数の窪み３５が形成されたディンプル加工が施されて、凹凸（起伏）を有するものとされている。そのため、反射部３２は、起伏が形成されたものとなっている。また、図３に示すとおり、鏡面シート３４の表面（反射部３２の表面）は、ディンプル加工により窪みの表面が湾曲するような形状となっている。そのため、反射部３２は、紫外線ランプ３０から照射された紫外線を様々な角度に拡散させるように乱反射させ、筐体２０の内部空間Ｒで照射された紫外線を増幅させることができる。これにより、除菌装置１０は、風量を少なくしつつ高い除菌効果を得ることができる。
【００３７】
また、鏡面シート３４のディンプル加工による窪み３５は、曲面が形成された浅い窪みとされている。そのため、光（紫外線）の反射角度が極端に大きくなることを抑制して、貫通孔２２などから紫外線が漏れることを抑制することができる。より詳細に説明すると、略半円球状の窪みであるディンプルの形状により、ディンプルがレンズのような機能を発揮して集光効果により紫外線をより効率的に増幅させることができる。さらに、ディンプルの形状により、紫外線を単純な反射ではなく乱反射させることで、反射度が稼げる。そのため、より多くの除菌効果を得ることができ、装置のコンパクト化に貢献することができる。
【００３８】
紫外線ランプ３０（照射装置）は、ウイルスや菌を不活化させるための紫外線を照射するためのものである。本実施形態の紫外線ランプ３０は、直管型のものとされており、長さＬ２を備える長尺のものとされている。また、本実施形態の除菌装置１０の紫外線ランプ３０は、消費電力が３０Ｗのものが用いられている。
【００３９】
ここで、紫外線ランプ３０は、ウイルス等を不活化させるために波長３８０ナノメータ以下のものが望ましい。本実施形態の紫外線ランプ３０では、深紫外領域の波長を有し、ピーク波長が２５３．８ナノメータのものが用いられている。なお、紫外線ランプ３０は、照射される紫外線の波長が２５４ナノメータ付近のものが、除菌効果の観点から望ましい。
【００４０】
また、本発明の除菌装置は本実施形態に限定されず、照射装置（紫外線ランプ）は直管型のものでなくともよく、また３０Ｗの消費電力のものに限定されない。また、本実施形態の除菌装置１０では、１本の紫外線ランプ３０を備えるものとした例を示したが、本発明の除菌装置は本実施形態に限定されず、照射装置（紫外線ランプ）を複数設けたものとしてもよい。
【００４１】
図２に示すとおり、紫外線ランプ３０は、保持部材５０に保持された状態で、長手方向に沿うように、かつ反射部３２に取り囲まれた状態で筐体２０の内部空間Ｒに収容されている。より具体的に説明すると、図２に示すとおり、保持部材５０は筐体２０の長手方向（上下方向Ｈ）に離間するように設けられており、紫外線ランプ３０は両端が保持部材５０に狭持されて保持されている。
【００４２】
ここで、図２に示すとおり、除菌装置１０では、筐体２０の長手方向（上下方向Ｈ）において、吸気口２４と排気口２６とが、紫外線ランプ３０が収容されている領域から外れた位置に設けられている。これにより除菌装置１０では、紫外線ランプ３０から照射された光（紫外線）が貫通孔２２（吸気口２４や排気口２６）から漏れ出ることを抑制することができる。
【００４３】
遮蔽部材２７（遮蔽部）は、内部空間Ｒの紫外線を遮蔽するためのものである。より具体的には、遮蔽部材２７は、内部空間Ｒで拡散された紫外線が、吸気口２４や排気口２６から外部へ漏れ出ることを抑制するためのものである。
【００４４】
図６に示すとおり、本実施形態の除菌装置１０では、第一遮蔽部材２７ａと、第二遮蔽部材２７ｂとが設けられている。図４に示すとおり、これらの遮蔽部材２７（第一遮蔽部材２７ａと第二遮蔽部材２７ｂ）は、筐体２０の内部に設けられた仕切り板２８を介して、筐体２０の内部に取り付けられている。また、図４に示すとおり、遮蔽部材２７は、筐体２０の内部であって、筐体２０の外部に連通する開口（貫通孔２２）が設けられた位置と、紫外線ランプ３０との間に設けられている。
【００４５】
図６（ａ）に示すとおり、第一遮蔽部材２７ａは、略矩形の板状の金属部材を屈曲させて形成されており、側面視において略コの字状の形状をなしている。また、第一遮蔽部材２７ａには、艶消し加工が施されている。
【００４６】
図６（ｂ）に示すとおり、第二遮蔽部材２７ｂは、略矩形の板状の金属部材を屈曲させて形成されており、側面視において略コの字状の形状をなしている。図６（ｂ）に示すとおり、第二遮蔽部材２７ｂには、略円形の貫通孔が形成されており、当該貫通孔は空気孔２７ｃをなしている。また、第二遮蔽部材２７ｂは、第一遮蔽部材２７ａよりもひと回り小さい大きさとされている。
【００４７】
図４に示すとおり、除菌装置１０の吸気口２４側には、吸気口２４と紫外線ランプ３０との間を隔てるように遮蔽部材２７が設けられている。より具体的に説明すると、除菌装置１０の吸気口２４側（上方Ｕｐ側）の内部空間Ｒには、仕切り板２８の上方Ｕｐ側と下方Ｌｗ側とに、それぞれ第一遮蔽部材２７ａ及び第二遮蔽部材２７ｂが取り付けられている。すなわち、除菌装置１０の吸気口２４側には、四つの遮蔽部材２７が設けられている。
【００４８】
さらに詳細に説明すると、図４及び図５（ａ）、（ｂ）に示すとおり、仕切り板２８の上方Ｕｐ側には、第二遮蔽部材２７ｂが取り付けられており、さらに第二遮蔽部材２７ｂに覆い被さるように第一遮蔽部材２７ａが取り付けられている。また、仕切り板２８の下方Ｌｗ側には、第二遮蔽部材２７ｂが取り付けられており、さらに第二遮蔽部材２７ｂに覆い被さるように第一遮蔽部材２７ａが取り付けられている。このように、除菌装置１０では、複数の遮蔽部材２７を複数層重ねるように（本実施形態では四層の遮蔽部材２７）設けられている。
【００４９】
図４及び図５（ｃ）、（ｄ）に示すとおり、除菌装置１０の排気口２６側には、排気口２６と紫外線ランプ３０との間を隔てるように遮蔽部材２７が設けられている。より具体的に説明すると、除菌装置１０の排気口２６側（下方Ｌｗ側）の内部空間Ｒには、仕切り板２８の上方Ｕｐ側に第一遮蔽部材２７ａ及び第二遮蔽部材２７ｂが取り付けられており、仕切り板２８の下方Ｌｗ側に第一遮蔽部材２７ａが取り付けられている。すなわち、除菌装置１０の排気口２６側には、三つの遮蔽部材２７が設けられている。
【００５０】
ここで、図７に示すとおり、吸気口２４から取り込まれた空気は、第一遮蔽部材２７ａのコの字状の部分を通り道として第二遮蔽部材２７ｂに至り、第二遮蔽部材２７ｂの空気孔２７ｃ、仕切り板２８の貫通孔を経由して、第二遮蔽部材２７ｂの空気孔２７ｃ、第一遮蔽部材２７ａのコの字状の部分をとおり、紫外線ランプ３０が設けられた領域に至る。
【００５１】
また、図７に示すとおり、紫外線ランプ３０（図７では図示を省略）により除菌された空気は、紫外線ランプ３０が設けられた領域から、排気口２６側の第一遮蔽部材２７ａのコの字状の部分を通り道として第二遮蔽部材２７ｂに至り、第二遮蔽部材２７ｂの空気孔２７ｃ、仕切り板２８の貫通孔を経由して第一遮蔽部材２７ａのコの字状の部分をとおり、排気口２６から排出される。
【００５２】
このように、除菌装置１０では、筐体２０に外部と連通する開口（貫通孔２２）を設け、さらに内部空間Ｒでの空気の流れを確保しつつ、確実に紫外線が外部に漏れ出ることを抑制することができる（確実に紫外線を遮蔽することができる）。すなわち、除菌装置１０は、空気の通り道の確保という課題と、紫外線の遮蔽という課題との、二律背反する二つの課題を同時に解決している。さらに付言すると、除菌装置１０では、内部空間Ｒで紫外線を乱反射させつつ紫外線が漏れ出ないようにするという課題をも解決している。また、上述のとおり、第一遮蔽部材２７ａには艶消しが施されているため、さらに効率的に紫外線を遮蔽することができる。
【００５３】
本実施形態の除菌装置１０では、上述のとおり紫外線を外部から遮蔽することができる。そのため、吸気口２４を人の顔の高さに設けつつ、紫外線が漏れ出て人に照射されることを極力抑制することができる。
【００５４】
ファンユニット４０（送風装置）は、室内の空気を筐体２０の内部空間Ｒに案内しつつ排気口２６から排出するためのものである。また、ファンユニット４０は、筐体２０の上方Ｕｐから下方Ｌｗに向けて空気を流すように構成されている。
【００５５】
図２に示すとおり、ファンユニット４０は、筐体２０の下方Ｌｗ側に設けられている。そのため、除菌装置１０を安定して自立させることができる。また、除菌装置１０では、ファンユニット４０を下方Ｌｗ側に設けることで、ファンユニット４０の駆動による振動を小さくして、より騒音の発生を抑制することができる。
【００５６】
ここで、本実施形態の除菌装置１０では、ファンユニット４０の風量は、６ｍ３／分程度とされている。すなわち、ファンユニット４０により発生する風量は、人が風を感じないほどの微風とされている。なお、ファンユニット４０の風量は、筐体２０の大きさや使用される室内の広さなどに応じて選択されることが望ましい。
【００５７】
＜除菌装置の動作＞
続いて、除菌装置１０の動作について説明する。図８に示すとおり、除菌装置１０は自立式とされており、上方Ｕｐ側の吸気口２４から室内の空気を取り込み、下方Ｌｗ側の排気口２６から除菌された空気を排出して、室内の除菌が行われる。
【００５８】
除菌装置１０は、高さＬ１近傍の位置に設けられた吸気口２４から室内の空気を取り込むことが出来るため、室内を浮遊するウイルス等を効率的に内部空間Ｒに取り込むことができる。
【００５９】
また、上述のとおり、除菌装置１０の内部空間Ｒには、ディンプル加工が施された鏡面シート３４により反射部３２が形成されている。これにより、内部空間Ｒでは、紫外線ランプ３０により照射された紫外線が様々な角度で拡散して紫外線が増幅され、取り込まれた空気に含まれるウイルスや菌を効率的に除菌することができる。また、内部空間Ｒでは、反射部３２の凹凸により気流が撹拌されて乱流が発生する。これにより、除菌装置１０は、より効率的に空気内のウイルス等の除菌効果を高めることができる。
【００６０】
このように、除菌装置１０では、内部空間Ｒに形成された凹凸により空気内に含まれるウイルス等の除菌効果を高めることができる。そのため、除菌装置１０では、ファンユニット４０による風量を小さくしつつ、高い除菌効果を得ることができる。その結果、除菌装置１０は、ファンユニット４０の駆動音や振動、送風音を抑制して静粛性を高めることができる。言い方を換えれば、除菌装置１０では、騒音が出ない程度の少ない風量でゆっくりと空気を搬送しつつ密度の高い紫外線照射量で除菌するため、高い除菌効果を発揮することができる。
【００６１】
また、上述のとおり、本実施形態の除菌装置１０では、吸気口２４の開口面積（吸気開口総面積Ａ１）が排気口２６の開口面積（排気開口総面積Ａ２）よりも大きいものとされている。これにより、風速を低下させてより高い騒音抑制効果を発揮することができる。
【００６２】
さらに、本実施形態の除菌装置１０では、ファンユニット４０が下方Ｌｗ側に設けられている。これにより除菌装置１０は、安定して自立可能であるとともに、ファンユニット４０やモータ５２の振動をより効率的に低減して、さらに静粛性を高めることができる。
【００６３】
さらに、除菌装置１０では、紫外線ランプ３０により照射された紫外線が外部に漏れないように遮蔽部材２７や筐体２０により遮蔽されている。そのため、除菌装置１０は、紫外線が人に照射されることを回避して、紫外線が人に影響を及ぼすことを抑制することができる。
【００６４】
このように、除菌装置１０は、高い除菌効果や静粛性を備えている。そのため、会議室や待合室など静粛性が求められる室内において好適に用いることができる。すなわち、除菌装置１０は、人の飛沫などに含まれるウイルスを効率的に除菌しつつ静粛性を保つことができる。
【００６５】
以上、本発明の実施形態に係る除菌装置１０について説明したが、本発明は上述の実施形態に限定されない。
【００６６】
例えば、上述の除菌装置１０では、ディンプル加工が施された鏡面シート３４を筐体２０の内壁面２０ａに貼付して反射部３２を形成した例を示したが、本発明の除菌装置は鏡面シートなどを筐体以外の他の部材に貼付して反射部を形成してもよい。
【００６７】
また、反射部を形成するシートは、ディンプル加工が施されたものに限定されず、凹凸（起伏）が形成され、光を反射可能なものであればよい。
【産業上の利用可能性】
【００６８】
本発明は、室内空間の除菌を行うものとして好適に採用することができる。
【符号の説明】
【００６９】
１０    除菌装置
２０    筐体
２４    吸気口
２６    排気口
２７    遮蔽部材（遮蔽部）
２７ａ  第一遮蔽部材（遮蔽部）
２７ｂ  第二遮蔽部材（遮蔽部）
３０    紫外線ランプ（照射装置）
３２    反射部
３４    鏡面シート（反射体）
３５    窪み（起伏）
４０    ファンユニット（送風装置）
Ａ１    吸気開口総面積
Ａ２    排気開口総面積
Ｈ      上下方向
Ｒ      内部空間
【要約】
【課題】本発明は、室内の空気中のウイルスや菌を除菌するものであり、静粛性の高い除菌装置の提供を目的とした。
【解決手段】本発明の除菌装置１０は、紫外線を照射する紫外線ランプ３０と、内部が中空とされ、紫外線ランプ３０を収容する筐体２０と、筐体２０の内部に形成され、紫外線を反射する反射部３２と、筐体２０の内部の空気を搬送するファンユニット４０と、を有し、反射部３２の表面には起伏が形成されている。前記反射部は、ディンプル加工により表面に窪みが形成された反射体を前記筐体の内壁面に取り付けることにより形成されていてもよい。
【選択図】図２【図１】
0006915921.tif 000002
【図２】
0006915921.tif 000003
【図３】
0006915921.tif 000004
【図４】
0006915921.tif 000005
【図５】
0006915921.tif 000006
【図６】
0006915921.tif 000007
【図７】
0006915921.tif 000008
【図８】
0006915921.tif 000009